(57)【要約】      （修正有）【課題】１つの器具を使って、粗磨き、中間磨き、仕上磨きの各工程を行うことができる爪磨き器を提供する。【解決手段】爪磨き器１は、四角柱１０の４つの側面の第１の面に平面状のヤスリ２０を有し、平面状のヤスリ２０を有する第１の面に隣接する第２の面に平面状のヤスリ２１を有し、平面状のヤスリ２１を有する第２の面に隣接する平面状のヤスリ２０を有さない方の第３の面に平面状のヤスリ２２を有し、平面状のヤスリ２０〜２２を有さない第４の面に平面状のヤスリ２３を有し、平面状のヤスリ２０は、絹の成分を含有する仕上磨き用のヤスリである。【選択図】図２
0003204513.tif 000002
【実用新案登録請求の範囲】
【請求項１】
少なくとも４つの側面を有し、少なくとも１つの側面に第１の平面状のヤスリを有し、
前記第１の平面状のヤスリを有する第１の面以外の面に第２の平面状のヤスリを有し、
前記第１の面および前記第２の平面状のヤスリを有する第２の面以外の第３の面に第３の平面状のヤスリを有し、
前記第１〜第３の面以外の第４の面に第４の平面状のヤスリを有する、
爪磨き器において、
前記第１〜第４の平面状のヤスリの少なくとも１つは、絹の成分を含有する仕上磨き用のヤスリである、
ことを特徴とする爪磨き器。
【請求項２】
請求項１記載の爪磨き器において、
前記前記第１〜第４の平面状のヤスリのうち前記仕上磨き用のヤスリを除く他の３つのヤスリは、前記仕上磨き用のヤスリよりも目の粗い中間磨き用のヤスリと、前記中間磨き用のヤスリよりもさらに目の粗い粗磨き用のヤスリとを含む、
ことを特徴とする爪磨き器。
【請求項３】
請求項２記載の爪磨き器において、
前記粗磨き用のヤスリは、少なくとも２つ有する、
ことを特徴とする爪磨き器。
【考案の詳細な説明】
【技術分野】
【０００１】
本考案は、爪磨き器に関する。
【背景技術】
【０００２】
爪を磨くための器具として、たとえば、特許文献１のような器具がある。特許文献１の器具は、四角柱の一つの面にヤスリを設けたものである。
【先行技術文献】
【特許文献】
【０００３】
【特許文献１】特開２０１１−１２０８５２号公報
【考案の概要】
【考案が解決しようとする課題】
【０００４】
特許文献１の爪磨き具は、ヤスリ部の目の粗さが一種類であり、粗磨き、中間磨き、仕上磨きなどの異なる工程には対応できない。
【０００５】
本考案は、このような課題を解決するためのものであり、１つの器具を使って、粗磨き、中間磨き、仕上磨きの各工程を行うことができる爪磨き器を提供することを目的とする。
【課題を解決するための手段】
【０００６】
本考案は、少なくとも４つの側面を有し、少なくとも１つの側面に第１の平面状のヤスリを有し、第１の平面状のヤスリを有する第１の面以外の面に第２の平面状のヤスリを有し、第１の面および第２の平面状のヤスリを有する第２の面以外の第３の面に第３の平面状のヤスリを有し、第１〜第３の面以外の第４の面に第４の平面状のヤスリを有する爪磨き器において、第１〜第４の平面状のヤスリの少なくとも１つは、絹の成分を含有する仕上磨き用のヤスリであるものである。
【０００７】
上述の爪磨き器において、第１〜第４の平面状のヤスリのうちの仕上磨き用のヤスリを除く他の３つのヤスリは、仕上磨き用のヤスリよりも目の粗い中間磨き用のヤスリと、中間磨き用のヤスリよりもさらに目の粗い粗磨き用のヤスリとを含むことができる。このとき、粗磨き用のヤスリは、少なくとも２つ有することができる。
【考案の効果】
【０００８】
本考案によれば、１つの器具を使って、粗磨き、中間磨き、仕上磨きの各工程を行うことができる。
【図面の簡単な説明】
【０００９】
【図１】本考案の実施の形態に係る爪磨き器の斜視図である。
【図２】図１の爪磨き器を四角柱の端部から見た図である。
【考案を実施するための形態】
【００１０】
本考案の実施の形態に係る爪磨き器１について、図１および図２を参照しながら説明する。
【００１１】
爪磨き器１は、図１および図２に示すように、四角柱１０の４つの側面の第１の面に平面状のヤスリ２０を有し、ヤスリ２０を有する第１の面に隣接する第２の面に平面状のヤスリ２１を有し、平面状のヤスリ２１を有する第２の面に隣接する平面状のヤスリ２０を有さない方の第３の面に平面状のヤスリ２２を有し、平面状のヤスリ２０，２１，２２を有さない第４の面に平面状のヤスリ２３を有する。四角柱１０の材質は、比較的軽い材質であれば、どのような材質であってもよい。四角柱１０の材質として、たとえばウレタン製のスポンジなどを採用することができる。その他にも木やプラスチックなどを四角柱１０の材質として採用することができる。
【００１２】
ヤスリ２０は、絹の成分を含有する仕上磨き用のヤスリである。ヤスリ２０は、たとえば、微細な研磨粒子にシルクパウダーを混入し、平面状に成形したものである。ここで、シルクパウダーとは、絹由来のタンパク質（以下「シルクプロテイン」という）であるセリシンおよびフィブロインの少なくともいずれか一方を含む粉末のことである。このシルクパウダーの製法は特に限定されないが、たとえば絹繊維を精錬処理したのち粉砕して得たシルクパウダーを用いることができる。また、繭糸や絹糸のセリシンやフィブロインを水酸化ナトリウム水溶液，塩酸水溶液，石鹸水溶液，またはイオン水などを用いて加水分解したのち、この溶液をフリーズドライ，スプレードライなどの適宜な方法で乾燥・粉末化して得たシルクパウダーを用いることもできる。そして、前記のようなシルクパウダーを、研磨粒子および接着剤とともに混練し、この混合物を平面状の基材表面に塗布して乾燥させることにより、シルクパウダーが混入した平面状の研磨粒子層を形成することができる。
【００１３】
このようにして研磨粒子層にシルクパウダーを混入し、平面状に形成したヤスリ２０を用いれば、研磨粒子で爪の表面の角質層などを削り落とすことができるのに加えて、使用時にシルクパウダーから付与されるシルクプロテインの作用で爪の表面がなめらかになるという効果も奏される。
【００１４】
さらに、研磨粒子に予めシルクプロテイン溶液を含浸させ、適宜に乾燥させたのち、この研磨粒子を基材表面に固着して研磨粒子層を形成することも考えられる。ここで、シルクプロテイン溶液とは、シルクプロテインとしてセリシン、フィブロインの少なくともいずれか一方を溶媒中に溶解した液のことであり、たとえば、繭糸や絹糸のセリシンやフィブロインを水酸化ナトリウム水溶液，塩酸水溶液，またはイオン水などにより加水分解したのち、この溶液を適宜に中和・精製したものを用いることができる。
【００１５】
このようにシルクプロテイン溶液を予め含浸させた研磨粒子を用いて研磨粒子層を形成した平面状のヤスリ２０によれば、研磨粒子で爪の表面の角質層などを削り落とすことができるのに加えて、使用時に研磨粒子から溶出するシルクプロテインの作用で爪の表面がなめらかになるという効果も奏される。なお、一般に研磨粒子は多孔質構造を有しているため、シルクプロテイン溶液を含浸させることは容易に行える。
【００１６】
さらに、爪磨き器１の３つのヤスリ２１〜２３は、仕上磨き用のヤスリ２０よりも目の粗い中間磨き用のヤスリと、中間磨き用のヤスリよりもさらに目の粗い粗磨き用のヤスリとを含む。たとえば、爪磨き器１において、２つのヤスリ２１，２３を粗磨き用とし、残りのヤスリ２２を中間磨き用とする。粗磨き用のヤスリ２１，２３は、研磨粒子が大きく、使用中に基材表面から研磨粒子が剥離し易いため、他のヤスリ２０，２２に比べて寿命が短い。このため、粗磨き用のヤスリ２１，２３を２つ有することは爪磨き器１の寿命を長くするために有用である。
【００１７】
このような爪磨き器１によれば、１つの器具を使って、粗磨き、中間磨き、仕上磨きの各工程を行うことができる。すなわち、粗磨き用のヤスリ２１または２３を用いて爪の表面を粗磨きし、その後、中間磨き用のヤスリ２２を用いて爪の表面を中間磨きし、最後に、仕上磨き用のヤスリ２０を用いて爪の表面を仕上磨きする。さらに、爪磨き器１によれば、仕上磨きにおいて、絹の成分によって、爪の表面に艶を与えることができる。
【００１８】
（その他の実施の形態）
上述した実施の形態は、その要旨を逸脱しない限りにおいて、様々に変更が可能である。たとえば、上述の実施の形態では、四角柱１０を用いたが、五角柱や六角柱など、さらに面の数が増えてもよい。すなわち、その他の実施の形態に係る爪磨き器１ａは、少なくとも４つの側面を有し、少なくとも１つの側面にヤスリ２０を有し、ヤスリ２０を有する第１の面以外の面にヤスリ２１を有し、第１の面およびヤスリ２１を有する第２の面以外の第３の面にヤスリ２２を有し、第１〜第３の面以外の第４の面にヤスリ２３を有するものであってもよい。このとき、第１〜第４の面はそれぞれ複数有ってもよい。
【符号の説明】
【００１９】
１，１ａ…爪磨き器、１０…四角柱、２０〜２３…ヤスリ
【図１】
0003204513.tif 000003
【図２】
0003204513.tif 000004